(57)【要約】【課題】  本発明は、容易に折りたたむことが可能な情報表示シートを提供することであり、また、画像情報とともに音声情報を出力できる情報表示シートを提供することである。さらには、音声出力の大きくなる情報表示シートを提供することである。【解決手段】  情報表示シートの内部に空間領域を設け、その空間領域で折り曲げ可能とするとともに前記空間領域と音声再生手段の空間部とを連通させ、また、その上部に孔を設けることにより、大きな音声出力を得ることができた。さらに、情報表示手段と音声再生手段を前記情報表示シートに配置することにより、薄暗い環境では、音声で、また、騒音の大きい環境では、表示により、情報を確実に入手することができる。【選択図】        図１
2006194928.tif 000002
【特許請求の範囲】
【請求項１】
透明な第１基板及び該第１基板と一定間隔をもって平行に配置された第２基板、並びに該第１基板及び第２基板によって規定される側縁によって形成される空間内に、音声再生手段及び画像情報を表示する情報表示部を前記第１基板の側とした情報表示手段とを配設してなる情報表示シート。
【請求項２】
前記側縁と平行な面を持った一定幅の空間領域を前記空間内に確保し、該空間領域に位置する前記第１基板と第２基板の領域を折り曲げ部とし、前記空間領域に沿って折りたたむことが可能となる請求項１に記載の情報表示シート。
【請求項３】
前記空間領域に位置する前記第１基板の領域に貫通する孔を設けた請求項２に記載の情報表示シート。
【請求項４】
前記音声再生手段と前記第１又は第２基板の間で形成される空間部と前記空間領域が連結している請求項３に記載の情報表示シート。
【請求項５】
前記情報表示手段は、電力の供給が停止されたときにも表示状態を維持できるメモリ性を有する請求項１乃至４の何れか１項に記載の情報表示シート。
【請求項６】
前記情報表示手段は、コレステリック液晶を用いた表示部、電気泳動粒子を用いた表示部又はエレクトロクロミック特性を有する化合物を用いた表示部を有する請求項５に記載の情報表示シート。
【発明の詳細な説明】
【技術分野】
【０００１】
本発明は、電気的な方法で情報を表示でき、且つ音声を再生できる情報表示シートに関する。
【背景技術】
【０００２】
近年、地球環境保護の観点から、廃棄物を削減する、森林破壊の元凶となる紙の使用の削減が叫ばれている。このような状況に鑑み、電子ペーパーに代表される書き換え可能な情報表示シートが提案されている。
【０００３】
情報表示シートは、折りたたむことが可能であれば、著しく携帯性が向上する。特許文献１では電子ペーパーを薄型のプラスチックシートにより構成し、折りたたむことを可能としている。
【特許文献１】特開平１０−１７１６２０号公報
【発明の開示】
【発明が解決しようとする課題】
【０００４】
しかしながら、特許文献１では、どの様な構造により折りたたむことを可能とするかについては開示されていない。また、薄暗い環境では、情報表示部を高輝度に設定しないと、情報表示部に表示される画像を視認し難いという問題があった。さらに、音声を再生できる情報表示シートにあっては、当然ながら音声再生手段もシート状であるため、音声出力が小さいという問題があった。
【０００５】
本発明は、このような状況に鑑みてなされたものであり、その目的は、容易に折りたたむことが可能な情報表示シートを提供することであり、また、画像情報とともに音声情報を出力できる情報表示シートを提供することである。さらには、音声出力の大きくなる情報表示シートを提供することである。
【課題を解決するための手段】
【０００６】
本発明の上記目的は以下の手段により達成できる。
【０００７】
請求項１に記載の情報表示シートは、透明な第１基板及び該第１基板と一定間隔をもって平行に配置された第２基板、並びに該第１基板及び第２基板によって規定される側縁によって形成される空間内に、音声再生手段及び画像情報を表示する情報表示部を前記第１基板の側とした情報表示手段とを配設してなるものである。
【０００８】
請求項２に記載の情報表示シートは、請求項１に記載の情報表示シートにおいて、前記側縁と平行な面を持った一定幅の空間領域を前記空間内に確保し、該空間領域に位置する前記第１基板と第２基板の領域を折り曲げ部とし、前記空間領域に沿って折りたたむことが可能となるものである。
【０００９】
請求項３に記載の情報表示シートは、請求項２に記載の情報表示シートにおいて、前記空間領域に位置する前記第１基板の領域に貫通する孔を設けたものである。
【００１０】
請求項４に記載の情報表示シートは、請求項３に記載の情報表示シートにおいて、前記音声再生手段と前記第１又は第２基板の間で形成される空間部と前記空間領域が連結しているものである。
【００１１】
請求項５に記載の情報表示シートは、請求項１乃至４の何れか１項に記載の情報表示シートにおいて、前記情報表示手段は、電力の供給が停止されたときにも表示状態を維持できるメモリ性を有するものである。
【００１２】
請求項６に記載の情報表示シートは、請求項５に記載の情報表示シートにおいて、前記情報表示手段は、コレステリック液晶を用いた表示部、電気泳動粒子を用いた表示部又はエレクトロクロミック特性を有する化合物を用いた表示部を有するものである。
【発明の効果】
【００１３】
本発明の情報表示シートは、書き換えが可能な情報表示手段と音声再生手段を備えているので、薄暗い環境でも音声で情報を確認することができるとともに、周囲の騒音が大きくても、視覚により情報を確認することができ、確実に情報を捉えることができる。また、空間領域に沿って折りたたむことが可能な折り曲げ部を基板に設けた構成としたので、情報表示シートを容易に折りたたむことが可能となり、著しく携帯性が向上した。さらには、音声再生手段と基板の間で形成される空間部と空間領域を連結し、空間領域に位置する基板の領域に貫通する孔を設けた構成としたので、再生音をこの孔からも聞くことが可能となるので、より大きな音を再生することが可能となる。
【００１４】
一方、画像表示手段の表示部として、メモリ性のあるコレステリック液晶を用いた表示部、電気泳動粒子を用いた表示部又はエレクトロクロミック特性を有する化合物を用いた表示部としたので、消費電力の少ない情報表示シートが得られる。
【発明を実施するための最良の形態】
【００１５】
以下、図面を参照して本発明の情報表示シートの実施形態について説明する。
【００１６】
図１は、本発明の情報表示シートの概念図を示す図であり、第１基板（図２における符号９）側から見たものである。情報表示シート１は、情報表示手段２、音声再生手段３、音声情報や画像情報の記憶と各種の制御を司るＩＣモジュール４、電池５、各種の操作ボタンを備えた操作部６、第１基板（図２における符号９）に設けられた情報表示シート１を折りたたみ可能とする折り曲げ部７、折り曲げ部７に形成された第１基板９を貫通する孔８−１、音声再生手段３からの再生音を外部に効率よく取り出すための第１基板９に形成された孔８−２、等を備えている。
【００１７】
情報表示手段２は、画像情報を表示する情報表示部を第１基板９側として配設してある。したがって、第１基板９は透明であることが必須であり、画像情報は第１基板９側から観察することになる。ここでは音声再生手段３は、音声出力の機能を持ったスピーカーと音声入力の機能を持ったマイクロフォンの両者を兼ね備えたものとしている。ＩＣモジュール４は、情報表示媒体の分野で一般に使用しているものを採用することができる。
【００１８】
電池５としては、薄型電池を採用することが好ましい。
【００１９】
図２は、図１におけるＡ−Ａ’での断面図であり、第１基板９と第２基板１０及び第１基板９と第２基板１０によって規定される側縁によって形成される空間内に、情報表示手段２、音声再生手段３、ＩＣモジュール４（図２では電池５の奥側に配置されており図示せず）、電池５が配設されている。第１基板９と第２基板１０及び第１基板９と第２基板１０によって規定される側縁によって形成される空間の高さは、１〜１．５ｍｍ程度であることが携帯性の観点からも好ましい。また、この空間内には、側縁と平行な面を持った一定幅の空間領域１１が確保されている。情報表示シート１を、この空間領域１１に沿って折りたたむことを可能とするため、第１基板９の折り曲げ部７に対向する第２基板の位置を折り曲げ部（図示せず）としている。
【００２０】
空間領域１１には、情報表示シート１を折りたたむ際に、折りたたみに障害となるような部品を配設することは不可である。すなわち、本発明においては、空間領域とは、情報表示シート１を折りたたむ際に、折りたたみに障害となるような部品を配置することはない、という意味で用いている。したがって、例えば、フレキシブルプリントのような折り曲げ可能な配線部品は、この空間領域１１に配設することは可能である。
【００２１】
また、空間領域１１は、音声再生手段３と第１基板の間で形成される空間部１２と連結し、空間領域１１に位置する第１基板９の領域に貫通する孔８−１が無数に設けられている構造となっている。このような構造とすることにより、音声再生手段３から発せられる音声を効率よく外部に取り出すことが可能となり、より大きな音を再生することが可能となる。
【００２２】
情報表示シート１は折りたたむことが携帯性の観点からも重要であるということに鑑みると、基板の厚みは、第１基板９、第２基板１０ともに、１００〜５００μｍが好適である。また、基板の素材としては、ＰＥＴ（ポリエチレンテレフタレート）、ＰＣ（ポリカーボネート）、ＰＥ（ポリエチレン）、ＰＥＳ（ポリエーテルスルフォン）などを挙げることができる。第１基板９は透明であることが必須であるが、第２基板１０は透明であっても、不透明であってもよい。
【００２３】
まず情報表示手段２にコレステリック液晶を用いた場合について説明する。
【００２４】
情報表示手段２におけるコレステリック液晶による液晶表示素子は、基本的に透明電極を有する一対の基板とこの基板間に挟持された液晶層とからなる。この液晶層に所定の駆動電圧を印加することで該液晶層における液晶分子の配列を制御し、液晶表示素子に入射される外光を変調して目的とする画像の表示を行う。また液晶表示素子は一対の基板間の間隔を保持するために該両基板間にスペース保持材が配置されることがある。詳細には一対の基板の間にコレステリック相を示す液晶を挟持し、液晶の状態をプレーナ状態とフォーカルコニック状態に切り換えて表示を行う。液晶がプレーナ状態の場合、コレステリック液晶の螺旋ピッチをＰ、液晶の平均屈折率をｎとすると、波長λ＝Ｐ・ｎの光が選択的に反射される。また、フォーカルコニック状態では、コレステリック液晶の選択反射波長が赤外光域にある場合には散乱し、それよりも短い場合には可視光を透過する。そのため、選択反射波長を可視光域に設定し、素子の観察側と反対側に光吸収層（例えば黒色層）を設けることにより、プレーナ状態で選択反射色の表示、フォーカルコニック状態で黒の表示が可能になる。また、選択反射波長を赤外光域に設定し、素子の観察側と反対側に光吸収層を設けることにより、プレーナ状態では赤外光域の波長の光を反射するが可視光域の波長の光は透過するので黒の表示、フォーカルコニック状態で散乱による白の表示が可能になる。
【００２５】
本発明のコレステリック液晶を用いた情報表示手段２を形成する場合、コレステリック液晶をマイクロカプセルに封入して、必要であればバインダー樹脂とともに電極間に配置してもよいし、バインダー樹脂とともにコレステリック液晶を分散させて塗布して形成してもよい。また、光硬化性樹脂を用い重合時に相分離（重合相分離）を起こさせて強度のある膜として液晶層を形成してもよい。
【００２６】
次に情報表示手段２にマイクロカプセル型電気泳動粒子を用いた場合について説明する。
【００２７】
マイクロカプセル型電気泳動粒子による情報表示手段２は、通電による電圧印加によって、文字、数字、図形等が書き込まれる。また逆電界をかけることによって表示情報が消去される。
【００２８】
本発明に用いられるマイクロカプセル型電気泳動粒子を用いた表示素子は、分散媒中に電気泳動粒子を分散させた分散系をマイクロカプセルに封入した粒子を電極間に挿入して形成したものである。所定の色に着色された分散媒と白色の電気泳動粒子が封入されたマイクロカプセルに電界が印加されると、白色粒子が負に帯電している場合には、第一の電極が正極の時、白色粒子は第一の電極側に移動し、表示色は分散媒の色になる。逆に、第一の電極が負極の時、白色粒子は第二の電極側に移動し表示色は白色になる。透明媒体中に着色粒子と白色粒子を用いて表示を行なうことも可能である。
【００２９】
着色分散媒としては、例えば、脂肪族炭化水素、芳香族炭化水素、脂環式炭化水素、ハロゲン化炭化水素、各種エステル類、アルコール類、またはその他の種々の油等を単独または適宜混合した溶媒を、公知のアゾ系染料、アントラキノン系染料、トリフェニルアミン系染料、金属染料等を好適に単独又は複数用い、着色したものを用いる。
【００３０】
白色粒子は、例えば、酸化チタンや酸化亜鉛、硫化亜鉛等の無機顔料のほか、ガラスあるいは樹脂等の微粉末、さらにはこれらの複合体等を使用する。必要に応じて、粒子の表面を種々の界面活性剤、分散剤、有機および無機化合物、金属化合物等を用いて処理することで所望の表面電荷を付与することができるのみならず、分散媒中での分散性を向上させることができる。
【００３１】
分散液は、複合コアセルベーション法等の相分離法、界面重合法、ｉｎ−Ｓｉｔｕ法、溶解分散冷却法等、公知の方法を用いて作成されるマイクロカプセルに封入する。必要に応じて、ふるい分け、比重分離法などの任意の方法により、作成したマイクロカプセルの径の分布を制御する。マイクロカプセルの径としては、１〜３００μｍが望ましく、さらに好ましくは５〜２００μｍである。
【００３２】
得られたマイクロカプセル粒子を適当なバインダー樹脂とともに電極上に塗布することにより可逆情報表示層を形成することができる。表示層には膜厚を制御するためにスペーサーを混入してもよい。使用可能なスぺーサーとしては、液晶パネル用として市販されている球形や板状の樹脂微粒子や無機微粒子が用いられる。
【００３３】
さらに情報表示手段２にエレクトロクロミック材料を用いた場合について説明する。
【００３４】
エレクトロクロミック材料による情報表示手段２は、通電による電圧印加によって、材料が溶解または析出して発色したり、材料の構造が変化して材料の色が変化することによって表示するものであり、電界によって、文字、数字、図形等が書き込まれ、逆電界をかけることによって表示情報が消去される。
【００３５】
本発明に用いられるエレクトロクロミック表示素子はエレクトロデポジション型の表示素子を含むものである。エレクトロデポジション型とは二枚の電極間に電解質層を挟時し、電極間に通電することで電解質層に含有される金属イオンが電気化学的な反応によって析出および溶解することによって表示されるものである。
【００３６】
本発明に用いられるエレクトロクロミック表示素子は、透明画素電極が形成された透明支持体間に電気活性を有し、且つ電気化学的な酸化もしくは還元により変色材料層と着色剤を含有した電解質層を形成したもの、もしくは金属イオンと着色剤を含有した電解質層を形成したものが好適に用いられる。変色材料は耐久性の点で高分子のものが好ましく、電解質層は耐久性や製造性の点から高分子電解質やイオン性液体が好ましい。
【００３７】
エレクトロクロミック材料としては、ビオロゲン誘導体、酸化タングステン、Ｌｉドープ酸化タングステン、エルビウムフタロシアニン誘導体やポリピロール、ポリアニリン、ポリアズレン、ポリチオフェン、ポリインドール、ポリカルバゾール等の高分子材料が挙げられる。
【００３８】
高分子電解質に用いられる高分子としては、骨格ユニットがそれぞれ−（Ｃ−Ｃ−Ｏ）n−、−（Ｃ−Ｃ（ＣＨ3）−Ｏ）n−、−（Ｃ−Ｃ−Ｎ）n−、もしくは−（Ｃ−Ｃ−Ｓ）n−であらわされるポリエチレンオキサイド、ポリプロプレンオキサイド、ポリエチレンイミン、ポリエチレンスルフィドが挙げられる。これらを主鎖構造として、枝分れがあってもよい。また、ポリメチルメタクリレート、ポリフッ化ビニリデン、ポリ塩化ビニリデン、ポリカーボネートなども好ましい。
【００３９】
高分子固体電解質を形成する際には、可塑剤を添加することが好ましい。好ましい可塑剤としては、用いられる高分子が親水性の場合には、水、エチルアルコール、イソプロピルアルコールおよびこれらの混合物等が好ましく、疎水性の場合にはプロピレンカーボネート、ジメチルカーボネート、エチレンカーボネート、γ−ブロモラクトン、アセトニトリル、スルフォン、ジメトキシエタンジメチルホルムアミド、ジメチルアセトアミド、ｎ−メチルピロリドンおよびこれらの混合物が好ましい。
【００４０】
高分子電解質は前記高分子に電解質を溶解せしめて形成されるが、その電解質としては、リチウム塩、例えばＬｉＣｌ、ＬｉＢｒ、ＬｉＢＦ4、ＬｉＣｌＯ4、ＬｉＰＦ6、ＬｉＣＦ3ＳＯ3などや、カリウム塩、例えばＫＣｌ、ＫＢｒ、ＫＩなどや、ナトリウム塩、例えばＮａＣｌ、ＮａＢｒ、ＮａＩなどや、テトラアルキルアンモニウム塩、例えば、硼フッ化テトラブチルアンモニウム、過塩素酸テトラブチルアンモニウム、テトラブチルアンモニウムハライドなどを挙げることができる。上述のアンモニウム塩のアルキル鎖長は不揃いでもよい。
【００４１】
高分子電解質層にはコントラストを向上させるために着色剤を含有してもよい。発色が黒色の場合には、背景色としては白色の隠蔽性の高い材料が導入される。このような材料には、例えば、着色用の白色粒子が用いられ、二酸化チタン、炭酸カルシウム、酸化亜鉛、酸化マグネシウム、硫酸バリウム、酸化アルミニウム等を使用することができる。
また、着色のための色素を用いることもできる。
【００４２】
金属の電気化学的な析出、溶解によって発色と消色を行なう場合に使用される金属イオンとしては、ビスマス、スズ、銀、リチウム、鉄、クロム、ニッケル、亜鉛等の各イオンまたはそれらの組み合わせからなるイオンを例示することができる。特に好ましい金属イオンは銀、ビスマスである。これは、可逆的な反応を容易に進めることができ、析出時の変色度が高いためである。
【００４３】
さらに、本発明では、情報表示手段２の表示層上に保護層を設けてもよい。この保護層によって表示層が機械的あるいは化学的に外部から保護されることになる。
【００４４】
保護層に使用可能な材料としては、高分子樹脂溶液を塗布して塗膜を形成してもよいし、樹脂フィルムをラミネートしてもよい。また、無機材料の蒸着によって保護層を形成してもよいし、ゾル−ゲル法を用いて溶液を塗布して形成してもよい。
【００４５】
さらに、本発明に係る情報表示シートにあっては、表示層の一部を非可逆性情報表示領域とし、この領域に予め特定の情報を書き込んでおくこともできる。例えば、会社名や飾り図柄を予め書き込んでおくことで、特定のフォーマットされた表示シートとして使用することができる。
【００４６】
さらに、本発明に係る情報表示シートにあっては、表示層の一部に筆記具による記録表示領域を設け、この領域にサインや特定情報を個人的に書き込めるようにしておくこともできる。例えば、氏名や住所を記入する欄として使用することができる。
【００４７】
さらに、本発明に係る情報表示シートにあっては、表示層の一部にホログラム形成層ないし回折格子形成層を設け、この領域に予め特定の情報を書き込んでおくこともできる。このホログラム層は、二次元または三次元画像を再生可能な、表面凹凸パターン等で形成したものである。これらは、表面凹凸部に情報を記録しているため、この凹凸部に反射層を設けてホログラム、回折格子を再生するものである。例えば、特定の図柄や文字を予め記録しておくことで、情報表示シートの偽造を困難なものとすることが出来る。
【００４８】
本発明における情報表示シートが、たとえば医療用カードであれば、情報表示手段２には、来院日や担当医、通院回数等が表示され、使用者は目視によってこれらの情報を得ることができる。一方、音声情報が記録部にすでに録音されているか、または録音可能で音声再生部から、病院の案内や表示内容等が音声再生され、使用者は音声によってこれらの情報を得ることができる。また、本発明における情報表示シートを専用のリーダーライターに通すことによって、画像情報と音声情報を書き込み、その一部を表示、および音声再生させる構成にしても良い。
【実施例】
【００４９】
以下、本発明に係る情報表示シートおよびその情報表示シートを用いたシステムについて、添付図面を参照して説明する。なお、以下に示す各実施形態においては、具体的な物質名を挙げて説明を行っているが、これはあくまでも一つの実施例であり、本発明がこれらの物質に限られるものではなく、各種の材料を使用することが可能である。
【００５０】
本発明の情報表示シートを図１に基づいて説明する。
情報表示シート１は、第２基板１０としてＰＥＳ（ポリエーテルスルフォン）フィルムを用い、その上に情報表示手段２、音声再生手段３、ＩＣモジュール４、電池５、操作部６のそれぞれを配置し、必要な電気回路は、前記基板上に直接形成している。また、第１基板９としてＰＥＳ（ポリエーテルスルフォン）フィルムを用い、必要な電気回路は、前記基板上に直接形成している。
【００５１】
また、折り曲げ部７として、図２に示すように空間領域１１を形成し、その空間領域１１に沿って、本情報表示シートを折り曲げやすくしている。また、前記空間領域１１と音声再生手段３上部の空間部１２とは連通状態にあり、音声再生手段３及び空間領域１１に対応する第１基板９には細孔が形成されており、音声再生手段３からの音が出力されやすく構成されている。なお、この情報表示シートの厚みは、１．５ｍｍとした。
【００５２】
この時、第１基板９と第２基板１０にフレキシブルなＰＥＳ（ポリエーテルスルフォン）フィルムを用いているので、その上に形成した電気回路を損なうことなく、容易に折り曲げることができる。
次に情報表示手段２について説明する。
情報表示シート本体１の情報表示手段２として、カイラルネマチック液晶組成物からなるコレステリック液晶を用いた。
【００５３】
コレステリック液晶としては、ネマチック液晶Ａ（誘電率異方性Δε：３２．４、屈折率異方性Δｎ：０．２３０、ネマチックアイソトロピック相転移温度Ｔｎｉ：１０３℃）にカイラル材ＣＢ１５（メルク社製）を３６．８質量％混合し、カイラルネマチック液晶組成物を調整した。このカイラルネマチック液晶組成物は、６０５ｎｍにピーク波長があるブロードな選択反射特性を示した。
次に、ＰＥＳ（ポリエーテルスルフォン）フィルム上に設けられたＩＴＯ（インジウム錫酸化物）の透明電極上に厚み８００Åの配向安定化膜ＡＬ−４５５２（ＪＳＲ社製）を形成し、その上に６μｍ径のスペーサ（積水ファインケミカル社製）を散布した。またもう一つのＰＥＳフィルム基板上のＩＴＯ透明電極上にも、厚み８００Åの配向安定化膜ＡＬ−４５５２（ＪＳＲ社製）を形成した。続いて、第一基板上の周辺部にシール材ＸＮ２１Ｓ（三井化学社製）をスクリーン印刷して所定高さの壁を形成した。その後、基板同士を貼り合せシール材を硬化させた。その後、所定量のカイラルネマチック組成物を真空注入装置を用いて注入した。このセルの裏面（光を入射させる側とは反対側の基板面）にはピーク反射波長が４７０ｎｍの青色の光吸収膜ＤＩＣ５７９（大日本インキ製）を設け、コレステリック液晶表示素子による情報表示手段２を作製した。
【００５４】
上記のコレステリック液晶表示素子の電極間に白色状態（プレーナー状態）と青色状態（フォーカルコニック状態）にするために所定電圧で駆動したところ、４５Ｖで白色状態、３０Ｖで青色状態を示した。白色表示時の視感反射率Ｙ値は２３．３、色度（ｘ，ｙ）＝（０．３４，０．３１）、分光反射波形の半値幅は１１０ｎｍであり、白色度良好かつコントラストの高い素子であった。なお、Ｙ値、色度及びコントラストの測定は白色光源を有する分光測色計ＣＭ３７００ｄ（コニカミノルタ社製）を用いて行なった。
【００５５】
図３に音声再生手段３を示す。圧電素子からなる圧電素子膜１５は、その周縁部を上部及び下部からそれぞれ第１及び第２の導電性リング１６、１７によって挟持されている。第１の導電性リング１６及び第２の導電性リング１７には、それぞれ電圧を印加または電圧を取り出せるようになっている。第２の導電性リング１７の下部には絶縁リング１８が設けられ、その下にはさらに、基板１９が設けられている。圧電素子１５と基板１９とによって形成される空間には、軽量で弾性力のあるウレタンフォーム２０が充填されている。このような構造のマイク及び音声再生手段３において、圧電素子膜１５に外部から音圧が加わると、圧力によって変形を受け、この変形が圧電素子膜１５の表面と裏面との間に起電力を生じ、この電流を取り出して電気信号として利用することでマイクとなる。また、この圧電素子膜１５の表面と裏面に第１及び第２の導電性リング１６、１７に電圧を印加することにより、圧電素子膜１５が変形を受け、振動することで音声再生を行うことができる。この音声再生手段の上部には空間を有して振動板を設けている。振動板は上質紙にＰＥＴがコーティングされたものである。
【００５６】
以上のような情報表示シートを用いることにより、折り曲げが容易にできるようになり、折り曲げ部７の空間領域１１と音声再生手段３の空間部１２を連結していることにより、より大きな音を出すことができる。また、書き換え可能な情報表示手段２に表示された情報と音声情報を併用して情報を伝達することができるので、確実に情報伝達がなされる。薄暗い環境でも音声で確認ができるとともに、周囲の騒音が大きくても、視覚により情報を認識できる。さらに、表示部にコレステリック液晶、電気泳動粒子、エレクトロクロミック素子を用いることにより、長期にわたり安定した画像の繰り返し消去表示が可能となる。また、情報表示手段２が電界駆動で表示され、表示素子にメモリ性があるので、消費電力の点で優れた効果がある。
【図面の簡単な説明】
【００５７】
【図１】本発明における１実施例としての情報表示シートの概略平面図である。
【図２】本発明における１実施例としての情報表示シートの概略断面図である。
【図３】本発明における１実施例としてのスピーカー兼マイクロフォンである。
【符号の説明】
【００５８】
１  情報表示シート
２  情報表示手段
３  音声再生手段
４  ＩＣモジュール
５  電池
６  操作部
７  折り曲げ部
８−１、８−２  孔
９  第１基板
１０  第２基板
１１  空間領域
１２  空間部
１５  圧電素子
１６、１７  導電性リング
１８  絶縁リング
１９  基板
２０  ウレタンフォーム
【図１】
2006194928.tif 000003
【図２】
2006194928.tif 000004
【図３】
2006194928.tif 000005